(57)【要約】 【課題】  容器の縁部や底部等の付着物も隅々まできれいに取り去ることができるスクレーパーを提供する。【解決手段】  棒状の柄部４と、この柄部４の先端部に設けた舌片状のかき取り部３とで成るスクレーパー本体１を備えている。少なくとも前記かき取り部３はゴム状弾性材料から成り、且つ、このかき取り部３を構成するゴム状弾性材料の先端側の硬度を基部側より柔らかくした。【選択図】    図１
2007007242.tif 000002
【特許請求の範囲】
【請求項１】
棒状の柄部と、この柄部の先端部に設けた舌片状のかき取り部とで成るスクレーパー本体を備え、少なくとも前記かき取り部はゴム状弾性材料から成り、且つ、このかき取り部を構成するゴム状弾性材料の先端側の硬度を基部側より柔らかくしたことを特徴とするスクレーパー。
【請求項２】
前記ゴム状弾性材料の先端側の硬度を３０〜６０度とし、基部側の硬度を７０〜８０度としたことを特徴とする請求項１に記載のスクレーパー。
【請求項３】
前記ゴム状弾性材料としてシリコーン樹脂を用いたことを特徴とする請求項１または請求項２の何れかに記載のスクレーパー。
【請求項４】
前記かき取り部をスプーン形、またはへら形としたことを特徴とする請求項１から請求項３までの何れかに記載のスクレーパー。
【請求項５】
さらに、キャップを有し、且つ、前記柄部の基端部に、このキャップを前記スクレーパー本体の持ち手用、または収納用として装着可能な嵌合部を設けたことを特徴とする請求項１から請求項４までの何れかに記載のスクレーパー。
【発明の詳細な説明】
【技術分野】
【０００１】
本発明は、容器内の粘性物をすくい取るスクレーパーに関するものである。
【背景技術】
【０００２】
従来より、容器に付着した粘性物をきれいにすくい取るものとしてスクレーパーが知られている（特許文献１参照）。係るスクレーパーは、弾力性のある軟質樹脂製（例えば、シリコーン樹脂製）のへら部と、これに装着される硬質樹脂製の柄部とで構成されており、このスクレーパーを用いると缶入りのソース類や瓶入りのジャム、ベタベタしたマーガリン等を無駄なく使い切ることができる。
【０００３】
他方、容器入りの化粧クリームやリキッドファンデーション等、比較的小形サイズの容器に入ったものはなかなか取り出し難く、従来では、指先で直接すくったり、ポリプロピレン製の小さなスプーン等を利用してすくい出していたが、特に、口の狭い容器や胴部がフラスコ状の容器等では、容器内の粘性物を隅々まで全てきれいに取り去ることは難しかった。
【特許文献１】特開平１１−１６９３０７号公報
【発明の開示】
【発明が解決しようとする課題】
【０００４】
本発明は、上記のような不都合に鑑みて成されたもので、容器の縁部や底部等の付着物も隅々まできれいに取り去ることができるスクレーパーを提供することを目的としている。
【課題を解決するための手段】
【０００５】
すなわち、請求項１に記載の本発明は、棒状の柄部と、この柄部の先端部に設けた舌片状のかき取り部とで成るスクレーパー本体を備え、少なくとも前記かき取り部はゴム状弾性材料から成り、且つ、このかき取り部を構成するゴム状弾性材料の先端側の硬度を基部側より柔らかくしたことを特徴としている。
【０００６】
また、請求項２に記載の本発明は、請求項１に記載のスクレーパーにおいて、前記ゴム状弾性材料の先端側の硬度を３０〜６０度とし、基部側の硬度を７０〜８０度としたことを特徴としている。
【０００７】
また、請求項３に記載の本発明は、請求項１または請求項２の何れかに記載のスクレーパーにおいて、前記ゴム状弾性材料としてシリコーン樹脂を用いたことを特徴としている。
【０００８】
また、請求項４に記載の本発明は、請求項１から請求項３までの何れかに記載のスクレーパーにおいて、前記かき取り部をスプーン形、またはへら形としたことを特徴としている。
【０００９】
また、請求項５に記載の本発明は、請求項１から請求項４までの何れかに記載のスクレーパーにおいて、さらに、キャップを有し、且つ、前記柄部の基端部に、このキャップを前記スクレーパー本体の持ち手用、または収納用として装着可能な嵌合部を設けたことを特徴としている。
【発明の効果】
【００１０】
本発明によれば、かき取り部の硬度を先端側において柔らかくすることにより、容器の縁部や底部の形状に合うように、かき取り部の先端側が湾曲するため、容器内の付着物を隅々まできれいに取り去ることができる。
【００１１】
また、かき取り部の形状をスプーン形にすると、容器内の粘性物をすくい取るのに都合が良く、また、へら形にすると、特に、容器の縁部や底部に残った粘性物をかき集めたり、すくい取ったりするのに都合が良い。
【００１２】
また、使用時は、キャップをスクレーパー本体の基部側より装着することにより、持ち手（柄）として利用でき、使用しない時は、キャップを先端側より装着することにより、スクレーパー本体をキャップ内にコンパクトに収納することができるため、衛生的であり、且つ、保管に場所を取らず極めて使い勝手が良い。
【発明を実施するための最良の形態】
【００１３】
以下、図面に基づいて本発明に係るスクレーパーの実施形態を説明する。
図１、図２は本実施形態のスクレーパーを示し、図３はかき取り部を示し、図４はスクレーパーの使用状態を示している。
【００１４】
図１、図２に示すように、本実施形態のスクレーパーは、ゴム状弾性材料（例えば、シリコーン樹脂）で成るスクレーパー本体１と、硬質樹脂材料（例えば、ポリプロピレン）で成る円筒状のキャップとで構成されている。
【００１５】
スクレーパー本体１は、先端に向かって細径となる丸棒状の柄部４と、この柄部４の先端部に設けた舌片状のかき取り部３とで構成される一体成形品である。かき取り部３の形状は、図１に示すようなスプーン形と図２に示すようなへら形とがあり、何れも先端部分を肉薄状に形成し、かき取り部３の柔軟性を向上している。また、へら形については、先端を斜めにカットして付着物をかき取り易くしている。
図１のように、かき取り部３の形状をスプーン形にすると、容器内の粘性物を適量すくい取るのに都合が良く、また、図２のように、かき取り部３の形状をへら形にすると、特に、容器の縁部や底部に残った粘性物をかき集めたり、すくい取ったりするのに都合が良い。
【００１６】
また、キャップ２は、柄部４の基端部に設けた嵌合部５に着脱自在に装着でき、図１（ｂ）に示すように、キャップ２をスクレーパー本体１の基部側より装着すると、持ち手（柄）として利用することができるため使い易い。使用しない時は、図１（ｃ）に示すように、キャップ２をスクレーパー本体１の先端側より装着すると、スクレーパー本体１をキャップ内にコンパクトに収納できるため保管に場所を取らず、且つ、極めて衛生的である。
尚、このキャップ２は、図２のスクレーパー本体１にも勿論適用できるものである。
【００１７】
ところで、スクレーパー本体１は、シリコーン樹脂等のゴム状弾性材料による一体成形品であることは既述した通りであるが、本実施形態では、このシリコーン樹脂で成るかき取り部３の先端側の硬度を基部側より柔らかくすることにより、かき取り部３の湾曲性をより一層向上している。
【００１８】
すなわち、本実施形態では、図３に示すように、かき取り部３の中央部分（破線Ａ）から先端部にかけて硬度３０〜６０度の柔らか目のシリコーン樹脂を用いて適度の柔軟性を持たせ、且つ、かき取り部３の中央部分より柄部４の全体を硬度７０〜８０度の硬目のシリコーン樹脂を用いて腰を持たせた構成としている。
このように、かき取り部３の材料の硬度を先端側において３０〜６０度といった柔らかさにすることにより、図４に示すように、例えば、化粧クリーム等の収納容器１０のように、比較的小サイズであって、筒部がフラスコのように湾曲しているような容器１０でも、かき取り部３の先端側を容器１０の縁部や底部の形状に合うように具合良く湾曲させることができ、よって、各部に付着した化粧クリームをその先端部分できれいにすくい取ることができる。
【００１９】
以上、本実施形態では、容器入りの化粧クリームに用いて便利なスクレーパーについて説明したが、本発明はこれに限るものではなく、容器に付着したジャムやマーガリン等の粘性調理材や食器やフライパン等に付着したベタベタ汚れをぬぐい取るためのキッチン用のスクレーパー等にも勿論適用可能である。要は、ゴム状弾性材料から成るスクレーパーのかき取り部の先端側の硬度を基部側より柔らかくしてかき取り部に良好な湾曲性を持たせたものであれば良く、使用対象は特に限定されない。
【図面の簡単な説明】
【００２０】
【図１】（ａ）は本発明に係るスクレーパーの外観斜視図、（ｂ）はその縦断面図、（ｃ）はキャップへの収納状態を示す縦断面図。
【図２】図１とは別のスクレーパーの外観斜視図。
【図３】かき取り部を示す図。
【図４】本発明のスクレーパーの使用状態を示す断面図。
【符号の説明】
【００２１】
１  スクレーパー本体
２  キャップ
３  かき取り部
４  柄部
５  嵌合部
【図１】
2007007242.tif 000003
【図２】
2007007242.tif 000004
【図３】
2007007242.tif 000005
【図４】
2007007242.tif 000006